(57)【要約】【課題】開閉器内の浸水の状態を容易に取得できるボルト、浸水検出システム、および浸水検出方法を提供こと。【解決手段】ボルトは、外部から開閉器内の検出対象空間に貫通しているねじ穴にはまり込み、検出対象空間の浸水の状態を検出するセンサーを備え、ボルトは、センサーを、ボルトのねじ先部分に有する。【選択図】図２
2020047420.tif 000002
【特許請求の範囲】
【請求項１】
外部から開閉器内の検出対象空間に貫通しているねじ穴にはまり込むボルトであって、
前記検出対象空間の浸水の状態を検出するセンサー
を備え、
前記ボルトは、前記センサーを、前記ボルトのねじ先部分に有する、ボルト。
【請求項２】
前記センサーが検出した前記浸水の状態を示す情報を、前記開閉器内を管理する管理装置へ送信する通信部
を備える、請求項１に記載のボルト。
【請求項３】
前記センサーは、前記開閉器内外の湿度を検出する、請求項１又は請求項２に記載のボルト。
【請求項４】
前記開閉器は、柱上開閉器である、請求項１から請求項３のいずれか一項に記載のボルト。
【請求項５】
前記ねじ穴は、気密栓である、請求項１から請求項４のいずれか一項に記載のボルト。
【請求項６】
外部から開閉器内の検出対象空間の浸水の状態を検出するセンサーを備え、前記検出対象空間に貫通しているねじ穴にはまり込むボルトと、
前記センサーが検出した前記浸水の状態を示す情報を、前記開閉器内を管理する管理装置へ送信する通信装置と、
前記通信装置が送信した前記浸水の状態を示す情報に基づいて、前記開閉器内が浸水しているか否かを判定する管理装置と、
を備え、
前記センサーは、前記ボルトのねじ先部分に取り付けられている、浸水検出システム。
【請求項７】
外部から開閉器内の検出対象空間に貫通しているねじ穴にはまり込むボルトが備えるセンサーが検出した浸水の状態を示す情報を、前記開閉器内を管理する管理装置へ送信するステップと、
前記送信するステップで送信された前記浸水の状態を示す情報に基づいて、前記開閉器内が浸水しているか否かを判定するステップと、
を有し、
前記ボルトは、前記センサーを、前記ボルトのねじ先部分に有する、浸水検出方法。
【発明の詳細な説明】
【技術分野】
【０００１】
本発明の実施形態は、ボルト、浸水検出システム、および浸水検出方法に関する。
【背景技術】
【０００２】
柱上開閉器とは、配電系統の制御、運用のために取り付けられる開閉器である。柱上開閉器は、例えば、長年の使用により錆が発生し、発生した錆が進行した場合に外箱に穴が開き、この穴から雨水が侵入する場合がある。外箱に空いた穴から雨水が侵入することによって、柱上開閉器が浸水した場合、柱上開閉器が設置されている配電系統の停電事故などの公衆災害に繋がるおそれがある。このため、柱上開閉器に対して、 定期的な浸水点検が行われている。
【０００３】
柱上開閉器の浸水を検出する技術に関して、超音波を用いて柱上開閉器内の浸水を検出する技術が知られている（例えば、特許文献１参照）。この技術は、送信用探触子から柱上開閉器の鋼底板内に、超音波を、所定の角度をもって斜角法により横波入射させ、柱上開閉器からの反射波を、送信用探触子と対向して鋼底板に設置された受信用探触子によって受信して、受信した反射波の中から鋼底板からの横波による反射波と浸水により生じる水界面からの縦波反射波とを検出して表示する。
【先行技術文献】
【特許文献】
【０００４】
【特許文献１】特開平７-２８０７７５号公報
【発明の概要】
【発明が解決しようとする課題】
【０００５】
超音波を用いて柱上開閉器内の浸水を検出する場合には、柱上開閉器の設置箇所まで出向して、柱上開閉器に、超音波を入射させなければならない。配電系統には膨大な数の柱上開閉器が設置されていることから、多大な労力を要していた。
また、超音波を用いて柱上開閉器内の浸水を検出するには、反射波の波形を観測する必要があり、熟練の技術者による判断が必要であった。
以上のことは、柱上開閉器に限らず、開閉器に当てはまる。
【０００６】
本発明は、前述した点に鑑みてなされたものであり、その目的は、開閉器内の浸水の状態を容易に取得できるボルト、浸水検出システム、および浸水検出方法を提供することである。
【課題を解決するための手段】
【０００７】
本発明の一態様は、外部から開閉器内の検出対象空間に貫通しているねじ穴にはまり込むボルトであって、前記検出対象空間の浸水の状態を検出するセンサーを備え、前記ボルトは、前記センサーを、前記ボルトのねじ先部分に有する、ボルトである。
本発明の一態様のボルトにおいて、前記センサーが検出した前記浸水の状態を示す情報を、前記開閉器内を管理する管理装置へ送信する通信部を備える。
本発明の一態様のボルトにおいて、前記センサーは、前記開閉器内外の湿度を検出する。
本発明の一態様のボルトにおいて、前記開閉器は、柱上開閉器である。
本発明の一態様のボルトにおいて、前記ねじ穴は、気密栓である。
本発明の一態様は、外部から開閉器内の検出対象空間の浸水の状態を検出するセンサーを備え、前記検出対象空間に貫通しているねじ穴にはまり込むボルトと、前記センサーが検出した前記浸水の状態を示す情報を、前記開閉器内を管理する管理装置へ送信する通信装置と、前記通信装置が送信した前記浸水の状態を示す情報に基づいて、前記開閉器内が浸水しているか否かを判定する管理装置と、を備え、前記センサーは、前記ボルトのねじ先部分に取り付けられている、浸水検出システムである。
本発明の一態様は、外部から開閉器内の検出対象空間に貫通しているねじ穴にはまり込むボルトが備えるセンサーが検出した浸水の状態を示す情報を、前記開閉器内を管理する管理装置へ送信するステップと、前記送信するステップで送信された前記浸水の状態を示す情報に基づいて、前記開閉器内が浸水しているか否かを判定するステップと、を有し、前記ボルトは、前記センサーを、前記ボルトのねじ先部分に有する、浸水検出方法である。
【発明の効果】
【０００８】
本発明の実施形態によれば、開閉器内の浸水の状態を容易に取得できるボルト、浸水検出システム、および浸水検出方法を提供できる。
【図面の簡単な説明】
【０００９】
【図１】第１の実施形態の浸水検出システムが適用される配電線系統の一例を示す模式図である。
【図２】第１の実施形態のボルトの一例を示す図である。
【図３】第１の実施形態の浸水検出システムの一例を示すブロック図である。
【図４】テーブルの一例を示す図である。
【図５】第１の実施形態の浸水検出システムの動作の一例を示すシーケンスチャートである。
【図６】第２の実施形態の浸水検出システムが適用される配電線系統の一例を示す模式図である。
【図７】第２の実施形態のボルトの一例を示す図である。
【図８】第２の実施形態の浸水検出システムの一例を示すブロック図である。
【図９】テーブルの一例を示す図である。
【図１０】第２の実施形態の浸水検出システムの動作の一例を示すシーケンスチャートである。
【発明を実施するための形態】
【００１０】
次に、本実施形態のボルト、浸水検出システム、および浸水検出方法を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００１１】
（第１の実施形態）
（浸水検出システム）
図１は、第１の実施形態の浸水検出システムが適用される配電線系統の一例を示す模式図である。
第１の実施形態の浸水検出システムは、配電線系統に適用される。配電線系統は、発電所からの電力を、変電所を介して住宅、商業施設、工業施設などの需要家負荷へ供給する。
配電線系統には、開閉器、自動電圧調整器、変圧器等の多数の電気機器が接続されている。図１に示される例では、電気機器の一例として、柱上開閉器１００が示されている。柱上開閉器１００は、短絡、地絡などの事故が発生した場合に、高圧配電線による送電を停止（停電）する。図１に示されるように、柱上開閉器１００は、電柱１０２の上方に設置（装柱）され、腕金１０４に引留装柱された電源側の高圧配電線１０６ａと負荷側の高圧配電線１０６ｂが接続されている。本実施形態の浸水検出システムでは、柱上開閉器１００の外箱（ケース）１００ａ内への浸水の有無を検出する。
【００１２】
柱上開閉器１００の製造工程では、組み立てられた外箱１００ａに気密漏れがないことを確認する際に、外箱１００ａの内部を加圧するために主に外箱１００ａの下部に気体注入口が形成される。気体注入口は、ねじ穴になっており、外箱１００ａに気密漏れがないことを確認した後に、気密栓がはめ込まれる。気密栓の一例は、ボルト３００である。これによって、外箱１００ａの内部の気密性を保つことができるため、柱上開閉器１００に湿気が侵入することを低減できる。
また、ボルト３００には、ボルト３００のねじ先部分に、センサーが取り付けられている。センサーは、外箱１００ａの内部の浸水の状態を検出する。センサーが検出することによって得られたセンサー値は、ケーブル３２０を介して、通信装置２００へ送信される。
通信装置２００は、柱上開閉器１００毎に対応付けて設置される。通信装置２００は、ボルト３００に取り付けられたセンサーからのセンサー値を受信し、受信したセンサー値と、通信装置２００の通信装置ＩＤとを含み、管理装置４００をあて先とするセンサー値通知情報を作成する。通信装置２００は、作成したセンサー値通知情報を、管理装置４００などの他の装置へ送信する。
管理装置４００は、通信装置２００が送信したセンサー値通知情報を受信し、受信したセンサー値通知情報に含まれるセンサー値と、通信装置ＩＤとを取得する。管理装置４００は、取得したセンサー値に基づいて、センサー値を送信したセンサーを有するボルト３００がはめ込まれた外箱１００ａの内部の柱上開閉器１００が浸水しているか否かを判定する。管理装置４００は、取得した通信装置ＩＤに対応する柱上開閉器１００を特定し、特定した柱上開閉器１００と、柱上開閉器１００とが浸水しているか否かの判定結果とを関連付けて、表示する。
【００１３】
（ボルト３００）
図２は、第１の実施形態のボルトの一例を示す図である。前述したように、ボルト３００は、柱上開閉器１００の外箱１００ａの下部のねじ穴にはめ込まれる。
ボルト３００は、センサー３１０と、ケーブル３２０と、ボルト本体Ｂとを備える。センサー３１０の一例は、短絡センサー、温度センサー、湿度センサーなどである。以下、センサー３１０の一例として、温度センサーを使用した場合について説明を続ける。センサー３１０は、ボルト本体Ｂのねじ先部分ＳＤに取り付けられている。センサー３１０が、ボルト本体Ｂのねじ先部分ＳＤに埋め込まれていてもよい。以下、一例として、センサー３１０が、ボルト本体Ｂのねじ先部分ＳＤに取り付けられている場合について説明を続ける。このように構成することによって、ボルト３００が、柱上開閉器１００の外箱１００ａの下部のねじ穴にはめ込まれた場合に、ねじ先部分ＳＤに取り付けられたセンサー３１０が、外箱１００ａの内部に露出するため、外箱１００ａ内部の空間の浸水の状態を検出できる。
センサー３１０が外箱１００ａの内部の空間の浸水の状態を検出することによって得られたセンサー値は、ケーブル３２０を経由して、通信装置２００へ送信される。
【００１４】
図３は、第１の実施形態の浸水検出システムの一例を示すブロック図である。図３に示される例では、浸水検出システムは、ボルト３００−１と、通信装置２００−１と、ボルト３００−２と、通信装置２００−２と、ボルト３００−３と、通信装置２００−３と、管理装置４００とを備える。
ボルト３００−１は、柱上開閉器１００−１（図示なし）の外箱１００ａ−１（図示なし）にはめ込まれ、ボルト３００−２は、柱上開閉器１００−２（図示なし）の外箱１００ａ−２（図示なし）にはめ込まれ、ボルト３００−３は、柱上開閉器１００−３（図示なし）の外箱１００ａ−３（図示なし）にはめ込まれる。
ボルト３００−１と、ボルト３００−２と、ボルト３００−３とのうち、任意のボルトを、ボルト３００と記載する。センサー３１０−１と、センサー３１０−２と、センサー３１０−３とのうち、任意のセンサーを、センサー３１０と記載する。通信装置２００−１と、通信装置２００−２と、通信装置２００−３とのうち、任意の通信装置を、通信装置２００と記載する。
ボルト３００と、センサー３１０と、通信装置２００とについては、前述したので、ここでの説明を省略する。
【００１５】
（管理装置４００）
管理装置４００は、パーソナルコンピュータ、サーバー、又は産業用コンピュータ等の装置によって実現される。管理装置４００は、通信部４１０と、記憶部４２０と、情報処理部４３０と、表示部４４０と、操作部４５０と、前記各構成要素を図３に示されているように電気的に接続するためのアドレスバスやデータバスなどのバスライン４６０とを備える。
通信部４１０は、通信モジュールによって実現される。通信部４１０は、ネットワーク５０を介して、通信装置２００などの外部の通信装置と通信する。具体的には、通信部４１０は、通信装置２００が送信したセンサー値通知情報を受信し、受信したセンサー値通知情報を、情報処理部４３０へ出力する。また、通信部４１０は、情報処理部４３０が出力した柱上開閉器ＩＤと、浸水判定結果とを関連付けた情報を、他の装置へ送信してもよい。
【００１６】
記憶部４２０は、例えば、ＲＡＭ（Random Access Memory）、ＲＯＭ（Read Only Memory）、ＨＤＤ（Hard Disk Drive）、フラッシュメモリ、またはこれらのうち複数が組み合わされたハイブリッド型記憶装置などにより実現される。記憶部４２０には、情報処理部４３０により実行されるプログラム４２１と、アプリ４２２と、テーブル４２３とが記憶される。
【００１７】
アプリ４２２は、管理装置４００に、通信装置２００が送信したセンサー値通知情報を受信させる。アプリ４２２は、管理装置４００に、受信させたセンサー値通知情報から、センサー値と、通信装置ＩＤとを取得させる。アプリ４２２は、管理装置４００に、取得させたセンサー値に基づいて、そのセンサー値を出力したセンサーを有するボルト３００がはめ込まれた外箱１００ａの内部が浸水しているか否かを判定させる。アプリ４２２は、管理装置４００に、取得させた通信装置ＩＤに対応する柱上開閉器１００の柱上開閉器ＩＤを取得させる。アプリ４２２は、外箱１００ａの内部が浸水しているか否かの判定結果（以下「浸水判定結果」という）と、柱上開閉器１００の柱上開閉器ＩＤとを、表示部４４０へ表示させるとともに、他の装置へ出力させる。
テーブル４２３は、通信装置ＩＤと柱上開閉器ＩＤとを関連付けたテーブル形式の情報である。
図４は、テーブルの一例を示す図である。図４に示される例では、通信装置ＩＤ「ＣＥ００１」と、その通信装置ＩＤによって示される通信装置に対応する柱上開閉器１００の柱上開閉器ＩＤ「ＰＳ００１」とが関連付けられている。図３に戻り説明を続ける。
表示部４４０は、柱上開閉器１００の柱上開閉器ＩＤと、その柱上開閉器１００の浸水判定結果とを関連付けて表示する。具体的には、表示部４４０は、柱上開閉器１００の柱上開閉器ＩＤを表示し、ユーザが、柱上開閉器１００の柱上開閉器ＩＤを押す操作を行った場合に、ユーザが押す操作を行った柱上開閉器ＩＤと、その柱上開閉器ＩＤに対応する柱上開閉器１００の浸水判定結果とを関連付けて表示する。
操作部４５０は、例えば、タッチパネルなどによって構成され、表示部４４０に表示される画面に対するタッチ操作を検出し、タッチ操作の検出結果を、情報処理部４３０へ出力する。
【００１８】
情報処理部４３０の全部または一部は、例えば、ＣＰＵ（Central Processing Unit）などのプロセッサが記憶部４２０に格納されたプログラム４２１を実行することにより実現される機能部（以下、ソフトウェア機能部と称する）である。なお、情報処理部４３０の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。
情報処理部４３０は、例えば、取得部４３１と、浸水判定部４３２と、出力部４３３とを備える。
【００１９】
取得部４３１は、通信部４１０が出力したセンサー値通知情報を取得し、取得したセンサー値通知情報を、浸水判定部４３２へ出力する。
浸水判定部４３２は、取得部４３１が出力したセンサー値通知情報を取得し、取得したセンサー値通知情報に含まれる通信装置ＩＤと、センサー値とを取得する。浸水判定部４３２は、取得したセンサー値に基づいて、そのセンサー値を送信したセンサーを有するボルト３００がはめ込まれた外箱１００ａの内部の柱上開閉器１００が浸水しているか否かを判定する。具体的には、浸水判定部４３２は、センサー値として取得した外箱１００ａの内部の温度に基づいて、外箱１００ａの内部の温度と外部の温度との差が閾値以上である場合には柱上開閉器１００が浸水していると判定し、閾値未満である場合には柱上開閉器１００が浸水していないと判定してもよい。柱上開閉器１００が浸水している場合には、外箱１００ａの外部の温度変化に対して、外箱１００ａの内部の温度変化が小さいと想定されるためである。ここで、外箱１００ａの外部の温度は、気象庁が提供する気象情報から取得されてもよいし、通信装置２００に温度計を設置し、設置した温度計から取得されてもよい。通信装置２００に設置された温度計から取得する場合、通信装置２００は、外箱１００ａの外部の温度を示す情報を、センサー値通知情報に含めて送信するようにしてもよい。浸水判定部４３２は、取得した通信装置ＩＤと、浸水判定結果とを、出力部４３３へ出力する。
出力部４３３は、浸水判定部４３２が出力した通信装置ＩＤと、浸水判定結果とを取得する。出力部４３３は、取得した通信装置ＩＤに関連する柱上開閉器ＩＤを、記憶部４２０に記憶されたテーブル４２３から取得する。出力部４３３は、ユーザが、柱上開閉器１００の柱上開閉器ＩＤを押す操作を行った場合に、操作部４５０が出力したタッチ操作の検出結果に基づいて、取得した柱上開閉器ＩＤと、浸水判定結果とを関連付けて、表示部４４０に表示する。また、出力部４３３は、柱上開閉器ＩＤと、浸水判定結果とを関連付けた情報を、通信部４１０から他の装置へ送信してもよい。
【００２０】
（浸水判定システムの動作）
図５は、第１の実施形態の浸水判定システムの動作の一例を示す図である。
（ステップＳ１）
ボルト３００−１は、そのボルト３００−１のねじ先部分に取り付けられたセンサー３１０−１が外箱１００ａ−１の内部の浸水の状態を検出することによって得られるセンサー値を、通信装置２００−１へ送信する。具体的には、センサー３１０−１は、一日に一回、一週間に一回、一か月に一回などの所定の周期で、外箱１００ａ−１の内部の浸水の状態を検出することによって得られるセンサー値を、通信装置２００−１へ送信する。
（ステップＳ２）
通信装置２００−１は、ボルト３００−１が送信したセンサー値を取得し、取得したセンサー値と、通信装置２００−１の通信装置ＩＤ−１とを含むセンサー値通知情報（以下「第１センサー値通知情報」という）を作成する。通信装置２００−１は、作成した第１センサー値通知情報を、管理装置４００へ送信する。管理装置４００の通信部４１０は、通信装置２００−１が送信したセンサー値通知情報を受信する。
（ステップＳ３）
ボルト３００−２は、そのボルト３００−２のねじ先部分に取り付けられたセンサー３１０−２が外箱１００ａ−２の内部の浸水の状態を検出することによって得られるセンサー値を、通信装置２００−２へ送信する。
【００２１】
（ステップＳ４）
通信装置２００−２は、ボルト３００−２が送信したセンサー値を取得し、取得したセンサー値と、通信装置２００−２の通信装置ＩＤ−２とを含むセンサー値通知情報（以下「第２センサー値通知情報」という）を作成する。通信装置２００−２は、作成した第２センサー値通知情報を、管理装置４００へ送信する。管理装置４００の通信部４１０は、通信装置２００−２が送信したセンサー値通知情報を受信する。
（ステップＳ５）
ボルト３００−３は、そのボルト３００−３のねじ先部分に取り付けられたセンサー３１０−３が外箱１００ａ−３の内部の浸水の状態を検出することによって得られるセンサー値を、通信装置２００−３へ送信する。
（ステップＳ６）
通信装置２００−３は、ボルト３００−３が送信したセンサー値を取得し、取得したセンサー値と、通信装置２００−３の通信装置ＩＤ−３とを含むセンサー値通知情報（以下「第３センサー値通知情報」という）を作成する。通信装置２００−３は、作成した第３センサー値通知情報を、管理装置４００へ送信する。管理装置４００の通信部４１０は、通信装置２００−３が送信したセンサー値通知情報を受信する。
【００２２】
（ステップＳ７）
管理装置４００の通信部４１０は、通信装置２００−１が送信した第１センサー値通知情報と、通信装置２００−２が送信した第２センサー値通知情報と、通信装置２００−３が送信した第３センサー値通知情報とを受信し、受信した第１センサー値通知情報と、第２センサー値通知情報と、第３センサー値通知情報とを、取得部４３１へ出力する。
取得部４３１は、通信部４１０が出力した第１センサー値通知情報と、第２センサー値通知情報と、第３センサー値通知情報とを取得し、取得した第１センサー値通知情報と第２センサー値通知情報と第３センサー値通知情報とを、浸水判定部４３２に出力する。
浸水判定部４３２は、取得部４３１が出力した第１センサー値通知情報を取得し、取得した第１センサー値通知情報に含まれる通信装置ＩＤ−１と、センサー値とを取得する。浸水判定部４３２は、取得したセンサー値に基づいて、そのセンサー値を送信したセンサー３１０−１を有するボルト３００−１がはめ込まれた外箱１００ａ−１の内部が浸水しているか否かを判定する。浸水判定部４３２は、取得した通信装置ＩＤと、浸水判定結果とを、出力部４３３へ出力する。
浸水判定部４３２は、取得部４３１が出力した第２センサー値通知情報を取得し、取得した第２センサー値通知情報に含まれる通信装置ＩＤ−２と、センサー値とを取得する。浸水判定部４３２は、取得したセンサー値に基づいて、そのセンサー値を送信したセンサー３１０−２を有するボルト３００−２がはめ込まれた外箱１００ａ−２の内部が浸水しているか否かを判定する。浸水判定部４３２は、取得した通信装置ＩＤ−２と、浸水判定結果とを、出力部４３３へ出力する。
浸水判定部４３２は、取得部４３１が出力した第３センサー値通知情報を取得し、取得した第３センサー値通知情報に含まれる通信装置ＩＤ−３と、センサー値とを取得する。浸水判定部４３２は、取得したセンサー値に基づいて、そのセンサー値を送信したセンサー３１０−３を有するボルト３００−３がはめ込まれた外箱１００ａ−３の内部が浸水しているか否かを判定する。浸水判定部４３２は、取得した通信装置ＩＤ−３と、浸水判定結果とを、出力部４３３へ出力する。
【００２３】
（ステップＳ８）
管理装置４００の出力部４３３は、浸水判定部４３２が出力した通信装置ＩＤ−１と、浸水判定結果とを取得する。出力部４３３は、取得した通信装置ＩＤ−１に関連付けて記憶されている柱上開閉器ＩＤ−１を、記憶部４２０に記憶されたテーブル４２３から取得する。出力部４３３は、ユーザが、操作部４５０を操作することによって柱上開閉器１００−１の柱上開閉器ＩＤ−１を押す操作を行った場合に、操作部４５０が出力したタッチ操作の検出結果に基づいて、取得した柱上開閉器ＩＤ−１と、浸水判定結果とを関連付けて、表示部４４０に表示する。また、出力部４３３は、柱上開閉器ＩＤ−１と、浸水判定結果とを関連付けた情報を、通信部４１０から他の装置へ送信してもよい。
また、管理装置４００の出力部４３３は、浸水判定部４３２が出力した通信装置ＩＤ−２と、浸水判定結果とを取得する。出力部４３３は、取得した通信装置ＩＤ−２に関連付けて記憶されている柱上開閉器ＩＤ−２を、記憶部４２０に記憶されたテーブル４２３から取得する。出力部４３３は、ユーザが、操作部４５０を操作することによって柱上開閉器１００−２の柱上開閉器ＩＤ−２を押す操作を行った場合に、操作部４５０が出力したタッチ操作の検出結果に基づいて、取得した柱上開閉器ＩＤ−２と、浸水判定結果とを関連付けて、表示部４４０に表示する。また、出力部４３３は、柱上開閉器ＩＤ−２と、浸水判定結果とを関連付けた情報を、通信部４１０から他の装置へ送信してもよい。
また、管理装置４００の出力部４３３は、浸水判定部４３２が出力した通信装置ＩＤ−３と、浸水判定結果とを取得する。出力部４３３は、取得した通信装置ＩＤ−３に関連付けて記憶されている柱上開閉器ＩＤ−３を、記憶部４２０に記憶されたテーブル４２３から取得する。出力部４３３は、ユーザが、操作部４５０を操作することによって柱上開閉器１００−３の柱上開閉器ＩＤ−３を押す操作を行った場合に、操作部４５０が出力したタッチ操作の検出結果に基づいて、取得した柱上開閉器ＩＤ−３と、浸水判定結果とを関連付けて、表示部４４０に表示する。また、出力部４３３は、柱上開閉器ＩＤ−３と、浸水判定結果とを関連付けた情報を、通信部４１０から他の装置へ送信してもよい。
図５に示されるシーケンスチャートでは、管理装置４００が、通信装置２００−１が送信した第１センサー値通知情報と、通信装置２００−２が送信した第２センサー値通知情報と、通信装置２００−３が送信した第３センサー値通知情報を受信した後に、外箱１００ａ−１の内部と、外箱１００ａ−２の内部と、外箱１００ａ−３の内部とが浸水しているか否かを判定する場合について説明したが、この例に限られない。例えば、管理装置４００が、通信装置２００−１が送信した第１センサー値通知情報を受信した直後に外箱１００ａ−１の内部が浸水しているか否かを判定し、通信装置２００−２が送信した第２センサー値通知情報を受信した直後に外箱１００ａ−２の内部が浸水しているか否かを判定し、通信装置２００−３が送信した第３センサー値通知情報を受信した直後に外箱１００ａ−３の内部が浸水しているか否かを判定してもよい。
【００２４】
前述した第１の実施形態では、柱上開閉器１００について説明したが、この例に限らず、開閉器に適用できる。開閉器とする場合には、開閉器の設置箇所まで出向する手間と、柱上開閉器１００に超音波を照射する手間とをなくすことができる。柱上開閉器１００とすることによって、柱上開閉器１００の設置箇所まで出向する手間と、柱上開閉器１００が設置されている電柱１０２の上方に超音波を照射する手間とをなくすことができる。
前述した第１の実施形態では、ボルト３００が、外箱１００ａの下部の気体注入口に、気密栓としてはめ込まれる場合について説明したがこの例に限られない。例えば、外箱１００ａを貫通している気体注入口以外のねじ穴であってもよい。外箱１００ａを貫通している気体注入口以外のねじ穴とする場合には、新たに貫通孔を空けることが必要になるが、気体注入口とすることによって、新たに貫通孔を空けることなく、柱上開閉器１００の内部が浸水しているか否かを判定できる。
前述した第１の実施形態では、浸水検出システムが、ボルト３００−１と、ボルト３００−２と、ボルト３００−３とを備える場合について説明したが、この例に限られない。例えば、ボルト３００の数は、一個から二個でもよいし、四個以上であってもよい。
前述した第１の実施形態では、浸水検出システムが、通信装置２００−１と、通信装置２００−２と、通信装置２００−３とを備える場合について説明したが、この例に限られない。例えば、通信装置２００の数は、一個から二個でもよいし、四個以上であってもよい。
【００２５】
前述した第１の実施形態では、外箱１００ａの外部の温度が、気象庁が提供する気象情報から取得される場合と、通信装置２００に温度計を設置し、設置した温度計から取得される場合について説明したが、この例に限られない。例えば、ボルト３００に、外箱１００ａの外部の温度も測定できるように、センサー３１０を設置するようにしてもよい。このように構成することによって、気象庁が提供する気象情報から外箱１００ａの外部の温度を取得したり、通信装置２００に設置された温度計から外箱１００ａの外部の温度を取得したりすることなく、外箱１００ａの外部の温度を取得できる。この場合、センサー３１０は、センサー値として、外箱１００ａの内部の温度と外部の温度とを、通信装置２００へ出力する。
前述した第１の実施形態では、センサーの一例として、温度センサーがボルト本体Ｂにはめ込まれる場合について説明したが、この例に限られない。例えば、短絡センサーがボルト本体Ｂにはめ込まれてもよい。この場合、短絡センサーによって検出される短絡したことを示す情報が、センサー情報として、通信装置２００へ送信される。
また、例えば、湿度センサーがボルト本体Ｂにはめ込まれてもよい。この場合、湿度センサーによって検出される湿度を示す情報が、センサー情報として、通信装置２００へ送信される。浸水判定部４３２は、センサー値として取得した外箱１００ａの内部の湿度に基づいて、外箱１００ａの内部の湿度と外部の湿度との差が閾値以上である場合には柱上開閉器１００が浸水していると判定し、閾値未満である場合には柱上開閉器１００が浸水していないと判定してもよい。柱上開閉器１００が浸水している場合には、外箱１００ａの外部の湿度変化に対して、外箱１００ａの内部の湿度変化が小さいと想定されるためである。
ここで、外箱１００ａの外部の湿度は、気象庁が提供する気象情報から取得されてもよいし、通信装置２００に湿度計を設置し、設置した温度計から取得されてもよい。また、ボルト３００に、外箱１００ａの外部の湿度も測定できるように、センサー３１０を設置するようにしてもよい。このように構成することによって、気象庁が提供する気象情報から外箱１００ａの外部の湿度を取得したり、通信装置２００に設置された湿度計から外箱１００ａの外部の湿度を取得したりすることなく、外箱１００ａの外部の湿度を取得できる。この場合、センサー３１０は、センサー値として、外箱１００ａの内部の湿度と外部の湿度とを、通信装置２００へ出力する。通信装置２００に設置された湿度計から取得する場合、通信装置２００は、外箱１００ａの外部の湿度を示す情報を、センサー値通知情報に含めて送信するようにしてもよい。
【００２６】
第１の実施形態の浸水検出システムによれば、浸水検出システムは、センサー３１０と、ボルト本体Ｂとを有するボルト３００が、柱上開閉器１００の外箱１００ａの下部の気体注入口にはめ込まれる。センサー３１０が、外箱１００ａの内部の浸水の状態を検出することによって得られたセンサー値は、ケーブル３２０を介して、通信装置２００へ送信される。通信装置２００は、センサー３１０が送信したセンサー値を受信し、受信したセンサー値と通信装置ＩＤとを含むセンサー値通知情報を作成し、作成したセンサー値通知情報を、管理装置４００へ送信する。
管理装置４００は、通信装置２００が送信したセンサー値通知情報を受信し、受信したセンサー値通知情報に基づいて、センサー値を送信したセンサー３１０を有するボルト３００がはめ込まれた外箱１００ａの内部の柱上開閉器１００が浸水しているか否かを判定する。
従来は、配電系統には膨大な数の柱上開閉器１００が設置されていることから、種々の機能を要する超音波での浸水検出装置を柱上開閉器１００に対して一台ごとに設置し、遠隔にて浸水しているか否かについて管理することは困難であった。
本実施形態では、このように構成することによって、柱上開閉器１００の設置箇所まで出向することなく、遠隔で柱上開閉器１００の浸水を検出できる。また、センサー３１０が検出したセンサー値に基づいて、外箱１００ａの内部の柱上開閉器１００が浸水しているか否かを判定することによって、超音波を利用して判定する場合と比較して、熟練の技術者でなくとも浸水の有無を判断できる。また、柱上開閉器１００が浸水しているか否かを判断する手間が簡素になることによって、柱上開閉器１００一台ごとへの設置を容易にできる。
【００２７】
＜構成例＞
一構成例として、外部から開閉器（実施形態では、柱上開閉器１００）内の検出対象空間に貫通しているねじ穴にはまり込むボルトであって、検出対象空間の浸水の状態を検出するセンサーを備え、ボルトは、センサーを、ボルトのねじ先部分に有する。
一構成例として、センサーが検出した浸水の状態を示す情報を、開閉器内を管理する管理装置へ送信する通信部を備える。
一構成例として、センサーは、開閉器内外の湿度を検出する。
一構成例として、前記開閉器は、柱上開閉器である。
一構成例として、ねじ穴は、気密栓である。
【００２８】
（第２の実施形態）
（浸水検出システム）
図６は、第２の実施形態の浸水検出システムが適用される配電線系統の一例を示す模式図である。
第２の実施形態の浸水検出システムは、ボルト３００の代わりにボルト３００ａを備え管理装置４００の代わりに管理装置４００ａを備える点で、第１の実施形態の浸水検出システムとは異なる。
柱上開閉器１００の製造工程では、組み立てられた外箱１００ａに気密漏れがないことを確認する際に、外箱１００ａの内部を加圧するために主に外箱１００ａの下部に気体注入口が形成される。気体注入口は、ねじ穴になっており、外箱１００ａに気密漏れがないことを確認した後に、気密栓がはめ込まれる。気密栓の一例は、ボルト３００ａである。これによって、外箱１００ａの内部の気密性を保つことができるため、柱上開閉器１００に湿気が侵入することを低減できる。
【００２９】
また、ボルト３００ａには、ボルト３００ａのねじ先部分にセンサーが取り付けられ、ボルト３００ａの頭部に制御部と通信部とが取り付けられている。センサーは、外箱１００ａの内部の浸水の状態を検出する。センサーが検出することによって得られたセンサー値は、ケーブルを介して、制御部へ出力される。制御部はセンサーが出力したセンサー値を取得し、取得したセンサー値と制御部ＩＤとを含み、管理装置４００ａを宛先とするセンサー値通知情報を作成し、作成したセンサー値通知情報を、通信部へ出力する。通信部は、制御部が出力したセンサー値通知情報を取得し、取得したセンサー値通知情報を、管理装置４００ａなどの他の装置へ送信する。
管理装置４００ａは、ボルト３００ａが送信したセンサー値通知情報を受信し、受信したセンサー値通知情報に含まれるセンサー値と、制御部ＩＤとを取得する。管理装置４００ａは、取得したセンサー値に基づいて、センサー値を送信したセンサーを有するボルト３００ａがはめ込まれた外箱１００ａの内部の柱上開閉器１００が浸水しているか否かを判定する。管理装置４００ａは、取得した制御部ＩＤに対応する柱上開閉器１００を特定し、特定した柱上開閉器１００と、柱上開閉器１００とが浸水しているか否かの判定結果とを関連付けて、表示する。
【００３０】
（ボルト３００ａ）
図７は、第２の実施形態のボルトの一例を示す図である。前述したように、ボルト３００ａは、柱上開閉器１００の外箱１００ａの下部のねじ穴にはめ込まれる。
ボルト３００ａは、センサー３１０と、ケーブル３２０ａと、ケーブル３２０ｂと、ボルト本体Ｂと、制御部３３０と、通信部３４０とを備える。センサー３１０の一例は、短絡センサー、温度センサー、湿度センサーなどである。以下、センサー３１０の一例として、温度センサーを使用した場合について説明を続ける。センサー３１０は、ボルト本体Ｂのねじ先部分ＳＤに取り付けられている。センサー３１０が、ボルト本体Ｂのねじ先部分ＳＤに埋め込まれていてもよい。以下、一例として、センサー３１０が、ボルト本体Ｂのねじ先部分ＳＤに取り付けられている場合について説明を続ける。このように構成することによって、ボルト３００ａが、柱上開閉器１００の外箱１００ａの下部のねじ穴にはめ込まれた場合に、ねじ先部分ＳＤに取り付けられたセンサー３１０が、外箱１００ａの内部に露出するため、外箱１００ａ内部の空間の浸水の状態を検出できる。
センサー３１０が外箱１００ａの内部の空間の浸水の状態を検出することによって得られたセンサー値は、ケーブル３２０ａを介して、制御部３３０へ出力される。
制御部３３０は、その制御部３３０の制御部ＩＤを記憶する。制御部３３０は、センサー３１０が出力したセンサー値を取得し、取得したセンサー値と、制御部ＩＤとを含み、管理装置４００ａをあて先とするセンサー値通知情報を作成する。制御部３３０は、作成したセンサー値通知情報を、ケーブル３２０ｂを介して、通信部３４０へ出力する。
通信部３４０は、制御部３３０が出力したセンサー値通知情報を取得し、取得したセンサー値通知情報を、管理装置４００ａなどの他の装置へ送信する。
【００３１】
図８は、第２の実施形態の浸水検出システムの一例を示すブロック図である。図８に示される例では、浸水検出システムは、ボルト３００ａ−１と、ボルト３００ａ−２と、ボルト３００ａ−３と、管理装置４００ａとを備える。
ボルト３００ａ−１は、柱上開閉器１００−１（図示なし）の外箱１００ａ−１（図示なし）にはめ込まれ、ボルト３００ａ−２は、柱上開閉器１００−２（図示なし）の外箱１００ａ−２（図示なし）にはめ込まれ、ボルト３００ａ−３は、柱上開閉器１００−３（図示なし）の外箱１００ａ−３（図示なし）にはめ込まれる。
ボルト３００ａ−１と、ボルト３００ａ−２と、ボルト３００ａ−３とのうち、任意のボルトを、ボルト３００ａと記載する。センサー３１０−１と、センサー３１０−２と、センサー３１０−３とのうち、任意のセンサーを、センサー３１０と記載する。制御部３３０−１と、制御部３３０−２と、制御部３３０−３とのうち、任意の制御部を、制御部３３０と記載する。通信部３４０−１と、通信部３４０−２と、通信部３４０−３とのうち、任意の通信部を、通信部３４０と記載する。
ボルト３００ａと、センサー３１０と、制御部３３０と、通信部３４０については、前述したので、ここでの説明を省略する。
【００３２】
（管理装置４００ａ）
管理装置４００ａは、パーソナルコンピュータ、サーバー、又は産業用コンピュータ等の装置によって実現される。管理装置４００ａは、通信部４１０ａと、記憶部４２０ａと、情報処理部４３０ａと、表示部４４０と、操作部４５０と、前記各構成要素を図８に示されているように電気的に接続するためのアドレスバスやデータバスなどのバスライン４６０とを備える。
通信部４１０ａは、通信モジュールによって実現される。通信部４１０ａは、ネットワーク５０を介して、ボルト３００ａなどの外部の通信装置と通信する。具体的には、通信部４１０ａは、ボルト３００ａが送信したセンサー値通知情報を受信し、受信したセンサー値通知情報を、情報処理部４３０ａへ出力する。また、通信部４１０ａは、情報処理部４３０ａが出力した柱上開閉器ＩＤと、浸水判定結果とを関連付けた情報を、他の装置へ送信してもよい。
【００３３】
記憶部４２０ａは、例えば、ＲＡＭ、ＲＯＭ、ＨＤＤ、フラッシュメモリ、またはこれらのうち複数が組み合わされたハイブリッド型記憶装置などにより実現される。記憶部４２０ａには、情報処理部４３０ａにより実行されるプログラム４２１と、アプリ４２２ａと、テーブル４２３ａとが記憶される。
【００３４】
アプリ４２２ａは、管理装置４００ａに、ボルト３００ａが送信したセンサー値通知情報を受信させる。アプリ４２２ａは、管理装置４００ａに、受信させたセンサー値通知情報から、センサー値と、制御部ＩＤとを取得させる。アプリ４２２ａは、管理装置４００ａに、取得させたセンサー値に基づいて、そのセンサー値を出力したセンサーを有するボルト３００ａがはめ込まれた外箱１００ａの内部が浸水しているか否かを判定させる。アプリ４２２ａは、管理装置４００ａに、取得させた制御部ＩＤに対応する柱上開閉器１００の柱上開閉器ＩＤを取得させる。アプリ４２２ａは、外箱１００ａの内部の浸水判定結果と、柱上開閉器１００の柱上開閉器ＩＤとを、表示部４４０へ表示させるとともに、他の装置へ出力させる。
テーブル４２３ａは、制御部ＩＤと柱上開閉器ＩＤとを関連付けたテーブル形式の情報である。
【００３５】
図９は、テーブルの一例を示す図である。図９に示される例では、通信部ＩＤ「ＣＵ００１」と、その通信部ＩＤによって示される通信部に対応する柱上開閉器１００の柱上開閉器ＩＤ「ＰＳ００１」とが関連付けられている。図８に戻り説明を続ける。
【００３６】
情報処理部４３０ａの全部または一部は、例えば、ＣＰＵなどのプロセッサが記憶部４２０ａに格納されたプログラム４２１を実行することにより実現されるソフトウェア機能部である。なお、情報処理部４３０ａの全部または一部は、ＬＳＩ、ＡＳＩＣ、またはＦＰＧＡなどのハードウェアにより実現されてもよく、ソフトウェア機能部とハードウェアとの組み合わせによって実現されてもよい。
情報処理部４３０ａは、例えば、取得部４３１と、浸水判定部４３２ａと、出力部４３３ａとを備える。
【００３７】
浸水判定部４３２ａは、取得部４３１が出力したセンサー値通知情報を取得し、取得したセンサー値通知情報に含まれる制御部ＩＤと、センサー値とを取得する。浸水判定部４３２ａは、取得したセンサー値に基づいて、そのセンサー値を送信したセンサーを有するボルト３００ａがはめ込まれた外箱１００ａの内部の柱上開閉器１００が浸水しているか否かを判定する。具体的には、浸水判定部４３２ａは、センサー値として取得した外箱１００ａの内部の温度に基づいて、外箱１００ａの内部の温度と外部の温度との差が閾値以上である場合には柱上開閉器１００が浸水していると判定し、閾値未満である場合には柱上開閉器１００が浸水していないと判定してもよい。柱上開閉器１００が浸水している場合には、外箱１００ａの外部の温度変化に対して、外箱１００ａの内部の温度変化が小さいと想定されるためである。
ここで、外箱１００ａの外部の温度は、気象庁が提供する気象情報から取得されてもよいし、制御部３３０に温度計を設置し、設置した温度計から取得されてもよい。制御部３３０に設置された温度計から取得する場合、制御部３３０は、外箱１００ａの外部の温度を示す情報を、センサー値通知情報に含めて、通信部３４０に出力するようにしてもよい。浸水判定部４３２ａは、取得した制御部ＩＤと、浸水判定結果とを、出力部４３３ａへ出力する。
出力部４３３ａは、浸水判定部４３２ａが出力した制御部ＩＤと、浸水判定結果とを取得する。出力部４３３ａは、取得した制御部ＩＤに関連する柱上開閉器ＩＤを、記憶部４２０ａに記憶されたテーブル４２３ａから取得する。出力部４３３ａは、ユーザが、柱上開閉器１００の柱上開閉器ＩＤを押す操作を行った場合に、操作部４５０が出力したタッチ操作の検出結果に基づいて、取得した柱上開閉器ＩＤと、浸水判定結果とを関連付けて、表示部４４０に表示する。また、出力部４３３ａは、柱上開閉器ＩＤと、浸水判定結果とを関連付けた情報を、通信部４１０ａから他の装置へ送信してもよい。
【００３８】
（浸水判定システムの動作）
図１０は、第２の実施形態の浸水判定システムの動作の一例を示す図である。
（ステップＳ１１）
ボルト３００ａ−１は、そのボルト３００ａ−１のねじ先部分に取り付けられたセンサー３１０−１が外箱１００ａ−１の内部の浸水の状態を検出することによって得られるセンサー値を、制御部３３０−１へ出力する。制御部３３０−１は、センサー３１０−１が出力したセンサー値を取得し、取得したセンサー値と、制御部ＩＤ−１とを含み、管理装置４００ａをあて先とするセンサー値通知情報（以下「第１センサー値通知情報」という）を作成する。制御部３３０−１は、作成した第１センサー値通知情報を通信部３４０−１へ出力する。通信部３４０−１は、制御部３３０−１が出力した第１センサー値通知情報を取得し、取得した第１センサー値通知情報を、管理装置４００ａへ送信する。具体的には、センサー３１０−１は、一日に一回、一週間に一回、一か月に一回などの所定の周期で、外箱１００ａ−１の内部の浸水の状態を検出することによって得られるセンサー値を、制御部３３０−１へ出力する。
（ステップＳ１２）
ボルト３００ａ−２は、そのボルト３００ａ−２のねじ先部分に取り付けられたセンサー３１０−２が外箱１００ａ−２の内部の浸水の状態を検出することによって得られるセンサー値を、制御部３３０−２へ出力する。制御部３３０−２は、センサー３１０−２が出力したセンサー値を取得し、取得したセンサー値と、制御部ＩＤ−２とを含み、管理装置４００ａをあて先とするセンサー値通知情報（以下「第２センサー値通知情報」という）を作成する。制御部３３０−２は、作成した第２センサー値通知情報を通信部３４０−２へ出力する。通信部３４０−２は、制御部３３０−２が出力した第２センサー値通知情報を取得し、取得したセンサー値通知情報を、管理装置４００ａへ送信する。具体的には、センサー３１０−２は、一日に一回、一週間に一回、一か月に一回などの所定の周期で、外箱１００ａ−２の内部の浸水の状態を検出することによって得られるセンサー値を、制御部３３０−２へ出力する。
（ステップＳ１３）
ボルト３００ａ−３は、そのボルト３００ａ−３のねじ先部分に取り付けられたセンサー３１０−３が外箱１００ａ−３の内部の浸水の状態を検出することによって得られるセンサー値を、制御部３３０−３へ出力する。制御部３３０−３は、センサー３１０−３が出力したセンサー値を取得し、取得したセンサー値と、制御部ＩＤ−３とを含み、管理装置４００ａをあて先とするセンサー値通知情報（以下「第３センサー値通知情報」という）を作成する。制御部３３０−３は、作成した第３センサー値通知情報を通信部３４０−３へ出力する。通信部３４０−３は、制御部３３０−３が出力した第３センサー値通知情報を取得し、取得したセンサー値通知情報を、管理装置４００ａへ送信する。具体的には、センサー３１０−３は、一日に一回、一週間に一回、一か月に一回などの所定の周期で、外箱１００ａ−３の内部の浸水の状態を検出することによって得られるセンサー値を、制御部３３０−３へ出力する。
【００３９】
（ステップＳ１４）
管理装置４００ａの通信部４１０ａは、ボルト３００ａ−１が送信した第１センサー値通知情報と、ボルト３００ａ−２が送信した第２センサー値通知情報と、ボルト３００ａ−３が送信した第３センサー値通知情報とを受信し、受信した第１センサー値通知情報と、第２センサー値通知情報と、第３センサー値通知情報とを、取得部４３１へ出力する。
管理装置４００ａの取得部４３１は、通信部４１０ａが受信した第１センサー値通知情報と、第２センサー値通知情報と、第３センサー値通知情報とを取得し、取得した第１センサー値通知情報と第２センサー値通知情報と第３センサー値通知情報とを、浸水判定部４３２ａに出力する。
浸水判定部４３２ａは、取得部４３１が出力した第１センサー値通知情報を取得し、取得した第１センサー値通知情報に含まれる制御部ＩＤ−１と、センサー値とを取得する。浸水判定部４３２ａは、取得したセンサー値に基づいて、そのセンサー値を送信したセンサー３１０−１を有するボルト３００ａ−１がはめ込まれた外箱１００ａ−１の内部が浸水しているか否かを判定する。浸水判定部４３２ａは、取得した制御部ＩＤと、浸水判定結果とを、出力部４３３ａへ出力する。
【００４０】
浸水判定部４３２ａは、取得部４３１が出力した第２センサー値通知情報を取得し、取得した第２センサー値通知情報に含まれる制御部ＩＤ−２と、センサー値とを取得する。浸水判定部４３２ａは、取得したセンサー値に基づいて、そのセンサー値を送信したセンサー３１０−２を有するボルト３００ａ−２がはめ込まれた外箱１００ａ−２の内部が浸水しているか否かを判定する。浸水判定部４３２ａは、取得した制御部ＩＤと、浸水判定結果とを、出力部４３３ａへ出力する。
浸水判定部４３２ａは、取得部４３１が出力した第３センサー値通知情報を取得し、取得した第３センサー値通知情報に含まれる制御部ＩＤ−３と、センサー値とを取得する。浸水判定部４３２ａは、取得したセンサー値に基づいて、そのセンサー値を送信したセンサー３１０−３を有するボルト３００ａ−３がはめ込まれた外箱１００ａ−３の内部が浸水しているか否かを判定する。浸水判定部４３２ａは、取得した制御部ＩＤと、浸水判定結果とを、出力部４３３ａへ出力する。
【００４１】
（ステップＳ１５）
管理装置４００ａの出力部４３３ａは、浸水判定部４３２ａが出力した制御部ＩＤ−１と、浸水判定結果とを取得する。出力部４３３ａは、取得した制御部ＩＤ−１に関連付けて記憶されている柱上開閉器ＩＤ−１を、記憶部４２０ａに記憶されたテーブル４２３ａから取得する。出力部４３３ａは、取得した柱上開閉器ＩＤ−１と、浸水判定結果とを関連付けて、表示部４４０に表示する。また、出力部４３３ａは、柱上開閉器ＩＤ−１と、浸水判定結果とを関連付けた情報を、通信部４１０ａから他の装置へ送信してもよい。
また、管理装置４００ａの出力部４３３ａは、浸水判定部４３２ａが出力した制御部ＩＤ−２と、浸水判定結果とを取得する。出力部４３３ａは、取得した制御部ＩＤ−２に関連付けて記憶されている柱上開閉器ＩＤ−２を、記憶部４２０ａに記憶されたテーブル４２３ａから取得する。出力部４３３ａは、取得した柱上開閉器ＩＤ−２と、浸水判定結果とを関連付けて、表示部４４０に表示する。また、出力部４３３ａは、柱上開閉器ＩＤ−２と、浸水判定結果とを関連付けた情報を、通信部４１０ａから他の装置へ送信してもよい。
また、管理装置４００ａの出力部４３３ａは、浸水判定部４３２ａが出力した制御部ＩＤ−３と、浸水判定結果とを取得する。出力部４３３ａは、取得した制御部ＩＤ−３に関連付けて記憶されている柱上開閉器ＩＤ−３を、記憶部４２０ａに記憶されたテーブル４２３ａから取得する。出力部４３３ａは、取得した柱上開閉器ＩＤ−３と、浸水判定結果とを関連付けて、表示部４４０に表示する。また、出力部４３３ａは、柱上開閉器ＩＤ−３と、浸水判定結果とを関連付けた情報を、通信部４１０ａから他の装置へ送信してもよい。
図１０に示されるシーケンスチャートでは、管理装置４００ａが、ボルト３００ａ−１が送信した第１センサー値通知情報と、ボルト３００ａ−２が送信した第２センサー値通知情報と、ボルト３００ａ−３が送信した第３センサー値通知情報を受信した後に、外箱１００ａ−１の内部と、外箱１００ａ−２の内部と、外箱１００ａ−３の内部とが浸水しているか否かを判定する場合について説明したが、この例に限られない。例えば、管理装置４００ａが、ボルト３００ａ−１が送信した第１センサー値通知情報を受信した直後に外箱１００ａ−１の内部が浸水しているか否かを判定し、ボルト３００ａ−２が送信した第２センサー値通知情報を受信した直後に外箱１００ａ−２の内部が浸水しているか否かを判定し、ボルト３００ａ−３が送信した第３センサー値通知情報を受信した直後に外箱１００ａ−３の内部が浸水しているか否かを判定してもよい。
【００４２】
前述した第２の実施形態では、柱上開閉器１００について説明したが、この例に限らず、開閉器に適用できる。開閉器とする場合には、開閉器の設置箇所まで出向する手間と、柱上開閉器１００に超音波を照射する手間とをなくすことができる。柱上開閉器１００とすることによって、柱上開閉器１００の設置箇所まで出向する手間と、柱上開閉器１００が設置されている電柱１０２の上方に超音波を照射する手間とをなくすことができる。
前述した第２の実施形態では、ボルト３００ａが、外箱１００ａの下部の気体注入口に、気密栓としてはめ込まれる場合について説明したがこの例に限られない。例えば、外箱１００ａを貫通している気体注入口以外のねじ穴であってもよい。外箱１００ａを貫通している気体注入口以外のねじ穴とする場合には、新たに貫通孔を空けることが必要になるが、気体注入口とすることによって、新たに貫通孔を空けることなく、柱上開閉器１００の内部が浸水しているか否かを判定できる。
前述した第２の実施形態では、センサー値通知情報に、制御部ＩＤと、センサー値とが含まれる場合について説明したが、この例に限られない。例えば、制御部ＩＤの代わりに、通信部ＩＤが含まれてもよい。この場合、管理装置４００ａには、通信部ＩＤと、柱上開閉器ＩＤとが関連付けられて記憶される。また、制御部ＩＤの代わりに、柱上開閉器ＩＤが含まれてもよい。このように構成することによって、制御部ＩＤから柱上開閉器ＩＤを導出する処理を省略することができる。
前述した第２の実施形態では、浸水検出システムが、ボルト３００ａ−１と、ボルト３００ａ−２と、ボルト３００ａ−３とを備える場合について説明したが、この例に限られない。例えば、ボルト３００ａの数は、一個から二個でもよいし、四個以上であってもよい。
前述した第２の実施形態では、外箱１００ａの外部の温度が、気象庁が提供する気象情報から取得される場合と、制御部３３０に温度計を設置し、設置した温度計から取得される場合について説明したが、この例に限られない。例えば、ボルト３００ａに、外箱１００ａの外部の温度も測定できるように、センサー３１０を設置するようにしてもよい。このように構成することによって、気象庁が提供する気象情報から外箱１００ａの外部の温度を取得したり、通信装置２００に設置された温度計から外箱１００ａの外部の温度を取得したりすることなく、外箱１００ａの外部の温度を取得できる。この場合、センサー３１０は、センサー値として、外箱１００ａの内部の温度と外部の温度とを、通信部３４０へ出力する。
【００４３】
前述した第２の実施形態では、センサーの一例として、温度センサーがボルト本体Ｂにはめ込まれる場合について説明したが、この例に限られない。例えば、短絡センサーがボルト本体Ｂにはめ込まれてもよい。この場合、短絡センサーによって検出される短絡したことを示す情報が、センサー情報として、制御部３３０へ送信される。
また、例えば、湿度センサーがボルト本体Ｂにはめ込まれてもよい。この場合、湿度センサーによって検出される湿度を示す情報が、センサー情報として、制御部３３０へ送信される。浸水判定部４３２ａは、センサー値として取得した外箱１００ａの内部の湿度に基づいて、外箱１００ａの内部の湿度と外部の湿度との差が閾値以上である場合には柱上開閉器１００が浸水していると判定し、閾値未満である場合には柱上開閉器１００が浸水していないと判定してもよい。柱上開閉器１００が浸水している場合には、外箱１００ａの外部の湿度変化に対して、外箱１００ａの内部の湿度変化が小さいと想定されるためである。
ここで、外箱１００ａの外部の湿度は、気象庁が提供する気象情報から取得されてもよいし、制御部３３０に湿度計を設置し、設置した温度計から取得されてもよい。また、ボルト３００ａに、外箱１００ａの外部の湿度も測定できるように、センサー３１０を設置するようにしてもよい。このように構成することによって、気象庁が提供する気象情報から外箱１００ａの外部の湿度を取得したり、制御部３３０に設置された湿度計から外箱１００ａの外部の湿度を取得したりすることなく、外箱１００ａの外部の湿度を取得できる。この場合、センサー３１０は、センサー値として、外箱１００ａの内部の湿度と外部の湿度とを、通信部３４０へ出力する。制御部３３０に設置された湿度計から取得する場合、制御部３３０は、外箱１００ａの外部の湿度を示す情報を、センサー値通知情報に含めて送信するようにしてもよい。
【００４４】
第２の実施形態の浸水検出システムによれば、浸水検出システムは、センサー３１０と、ボルト本体Ｂと、制御部３３０と、通信部３４０とを有するボルト３００ａが、柱上開閉器１００の外箱１００ａの下部の気体注入口にはめ込まれる。センサー３１０が、外箱１００ａの内部の浸水の状態を検出することによって得られたセンサー値は、ケーブル３２０ａを介して、制御部３３０へ出力される。制御部３３０は、センサー３１０が出力したセンサー値を取得し、取得したセンサー値と、制御部３３０の制御部ＩＤとを含むセンサー値通知情報を作成する。制御部３３０は、作成したセンサー値通知情報を、ケーブル３２０ｂを介して、通信部３４０へ出力する。通信部３４０は、制御部３３０が出力したセンサー値通知情報を取得し、取得したセンサー値通知情報を、管理装置４００ａへ送信する。
管理装置４００ａは、ボルト３００ａが送信したセンサー値通知情報を受信し、受信したセンサー値通知情報に基づいて、センサー値を送信したセンサー３１０を有するボルト３００ａがはめ込まれた外箱１００ａの内部の柱上開閉器１００が浸水しているか否かを判定する。
従来は、配電系統には膨大な数の柱上開閉器１００が設置されていることから、種々の機能を要する超音波での浸水検出装置を 柱上開閉器１００に対して一台ごとに設置し、遠隔にて浸水しているか否かについて管理することは困難であった。
本実施形態では、このように構成することによって、柱上開閉器１００の設置箇所まで出向することなく、遠隔で柱上開閉器１００の浸水を検出できる。また、センサー３１０が検出したセンサー値に基づいて、外箱１００ａの内部の柱上開閉器１００が浸水しているか否かを判定することによって、超音波を利用して判定する場合と比較して、熟練の技術者でなくとも浸水の有無を判断できる。また、柱上開閉器１００が浸水しているか否かを判断する手間が簡素になることによって、柱上開閉器１００一台ごとへの設置を容易にできる。
さらに、ボルト３００ａに、制御部３３０と、通信部３４０とを備えることによって、第１の実施形態と比較して、通信装置２００を設置する手間を省くことができる。
【００４５】
＜構成例＞
一構成例として、外部から開閉器（実施形態では、柱上開閉器１００）内の検出対象空間に貫通しているねじ穴にはまり込むボルトであって、検出対象空間の浸水の状態を検出するセンサーを備え、ボルトは、センサーを、ボルトのねじ先部分に有する。
一構成例として、センサーは、開閉器内外の湿度を検出する。
一構成例として、前記開閉器は、柱上開閉器である。
一構成例として、ねじ穴は、気密栓である。
【００４６】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
【００４７】
なお、上述した管理装置４００と、管理装置４００ａとは、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
【００４８】
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバーやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【００４９】
なお、上述の管理装置４００と、管理装置４００ａとは内部にコンピュータを有している。そして、上述した管理装置４００と、管理装置４００ａとの各処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリなどをいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５０】
５０…ネットワーク、１００…柱上開閉器、１００ａ…外箱（ケース）、１０２…電柱、１０４…腕金、１０６ａ…高圧配電線１０６ａ、１０６ｂ…高圧配電線、２００、２００−１、２００−２、２００−３…通信装置、３００、３００−１、３００−２、３００−３、３００ａ、３００ａ−１、３００ａ−２、３００ａ−３…ボルト、３１０、３１０−１、３１０−２、３１０−３…センサー、３２０、３２０ａ、３２０ｂ…ケーブル、３３０、３３０−１、３３０−２、３３０−３…制御部、３４０、３４０−１、３４０−２、３４０−３…通信部、４００、４００ａ…管理装置４００、４１０、４１０ａ…通信部、４２０、４２０ａ…記憶部、４２１…プログラム、４２２、４２２ａ…アプリ、４２３、４２３ａ…テーブル、４３０、４３０ａ…情報処理部、４４０…表示部、４５０…操作部、４３１…取得部、４３２、４３２ａ…浸水判定部、４３３，４３３ａ…出力部、４６０…バスライン
【図１】
2020047420.tif 000003
【図２】
2020047420.tif 000004
【図３】
2020047420.tif 000005
【図４】
2020047420.tif 000006
【図５】
2020047420.tif 000007
【図６】
2020047420.tif 000008
【図７】
2020047420.tif 000009
【図８】
2020047420.tif 000010
【図９】
2020047420.tif 000011
【図１０】
2020047420.tif 000012